【手続補正書】
【提出日】平成26年5月15日(2014.5.15)
【手続補正１】
【補正対象書類名】特許請求の範囲
【補正対象項目名】全文
【補正方法】変更
【補正の内容】
【特許請求の範囲】
【請求項１】
一次コイルと二次コイルとを横に並べて設けた漏洩トランスであって、前記一次コイルおよび二次コイルのうちの一方あるいは他方あるいは両方とも、複数の導体素線を撚った撚線の外周に３層の樹脂絶縁層を備えた断面略円形の三層絶縁電線を複数本平行に並べて一つの扁平な巻線線材とした線材を巻いたものであり、前記一次コイルまたは二次コイルのうちの一方のコイルを第１分割コイルと第２分割コイルとに２分割し、それら第１分割コイルと第２分割コイルの間に前記一次コイルまたは二次コイルのうちの他方のコイルを隔壁を設けずに挟んで配置したことを特徴とする漏洩トランス。
【請求項２】
請求項１に記載の漏洩トランスにおいて、前記一次コイルまたは二次コイルのうちの一方のコイルはα巻きであることを特徴とする漏洩トランス。
【手続補正２】
【補正対象書類名】明細書
【補正対象項目名】０００１
【補正方法】変更
【補正の内容】
【０００１】
本発明は、漏洩トランスに関し、更に詳しくは、一次コイルと二次コイルの間の空隙幅を変えたりコア形状を変えたりしなくても漏れインダクタンスを調整することが出来ると共に小型化できる漏洩トランスに関する。
【手続補正３】
【補正対象書類名】明細書
【補正対象項目名】０００４
【補正方法】変更
【補正の内容】
【０００４】
一次コイルと二次コイルの間の空隙幅を変えて漏れインダクタンスを調整する方法において、漏れインダクタンスを小さくするには空隙幅を小さくすればよいが、空隙幅を０にしたときの漏れインダクタンスが最小値であり、それ以下には漏れインダクタンスを小さくすることが出来ない問題点がある。一方、漏れインダクタンスを大きくするには空隙幅を大きくすればよいが、横方向サイズが大きくなってしまう問題点がある。
他方、コア形状を変えて漏れインダクタンスを調整する方法では、形状が異なるコア（ギャップの大きさが異なるコア）を用意しなければならず、部品管理が煩雑になる問題点がある。
そこで、本発明の目的は、一次コイルと二次コイルの間の空隙幅を変えたりコア形状を変えたりしなくても漏れインダクタンスを調整することが出来ると共に小型化できる漏洩トランスを提供することにある。
【手続補正４】
【補正対象書類名】明細書
【補正対象項目名】０００５
【補正方法】変更
【補正の内容】
【０００５】
第１の観点では、本発明は、一次コイルと二次コイルとを横に並べて設けた漏洩トランスであって、前記一次コイルおよび二次コイルのうちの一方あるいは他方あるいは両方とも、複数の導体素線を撚った撚線の外周に３層の樹脂絶縁層を備えた断面略円形の三層絶縁電線を複数本平行に並べて一つの扁平な巻線線材とした線材を巻いたものであり、前記一次コイルまたは二次コイルのうちの一方のコイルを第１分割コイルと第２分割コイルとに２分割し、それら第１分割コイルと第２分割コイルの間に前記一次コイルまたは二次コイルのうちの他方のコイルを隔壁を設けずに挟んで配置したことを特徴とする漏洩トランスを提供する。
上記第１の観点による漏洩トランスでは、一次コイルまたは二次コイルのうちの一方で他方を挟んで配置した構成なので、単に一次コイルの横に並べて二次コイルを設けた構成に比べて、一次コイルと二次コイルの結合度を上げることができ、漏れインダクタンスの最小値を小さくすることが出来る。また、第１分割コイルと第２分割コイルの巻数比を変えることにより結合度を調整できる（巻数比を１：１に近づけるほど結合度は大きくなる）ので、漏れインダクタンスを調整でき、一次コイルと二次コイルの間の空隙幅を変えたり、コア形状を変えたりしなくても済む。さらに、一次コイルまたは二次コイルのうちの一方を先に巻けば、第１分割コイルと第２分割コイルとが壁の役割をするので、それらの間に他方のコイルを巻きやすくなり、隔壁を設けなくて済み、小型化に資する。
なお、一次コイルと二次コイルの間の空隙幅を変えたり、コア形状を変えたりすることを併用すれば、さらに結合度を調整することが出来るので、必要であれば、これらを併用してもよい。
【手続補正５】
【補正対象書類名】明細書
【補正対象項目名】０００６
【補正方法】変更
【補正の内容】
【０００６】
また、上記第１の観点による漏洩トランスでは、耐絶縁性に優れた三層絶縁電線を用いるため、一次コイル−二次コイル間に十分な絶縁耐圧が得られ、隔壁を設けなくて済み、小型化に資する。
【手続補正６】
【補正対象書類名】明細書
【補正対象項目名】０００７
【補正方法】変更
【補正の内容】
【０００７】
また、上記第１の観点による漏洩トランスでは、一つの巻線線材を扁平形状としたため、断面略円形の一つの巻線線材を用いるよりも線材間の空間を少なくでき、小型化に資する。
【手続補正７】
【補正対象書類名】明細書
【補正対象項目名】０００８
【補正方法】変更
【補正の内容】
【０００８】
第２の観点では、本発明は、前記第１の観点による漏洩トランスにおいて、前記一次コイルまたは二次コイルのうちの一方のコイルはα巻きであることを特徴とする漏洩トランスを提供する。
上記第２の観点による漏洩トランスでは、一次コイルまたは二次コイルのうちの一方のコイルがα巻きであるため、第１分割コイルになる部分と第２分割コイルになる部分とを有する一つのコイルとして製造でき、第１分割コイルと第２分割コイルとを別体に製造してから両者を接続するよりも手間が省け、製造工数の削減や、接続端子等の部品を必要としない。
【手続補正８】
【補正対象書類名】明細書
【補正対象項目名】０００９
【補正方法】変更
【補正の内容】
【０００９】
本発明の漏洩トランスによれば、単に一次コイルの横に並べて二次コイルを設けた構成に比べて漏れインダクタンスの最小値を小さくすることが出来る。また、一次コイルと二次コイルの間の空隙幅を変えたりコア形状を変えたりしなくても漏れインダクタンスを調整することが出来る。さらに、耐絶縁性に優れた三層絶縁電線を複数本平行に並べて一つの扁平な巻線線材とした線材を用いるため、一次コイル−二次コイル間に隔壁を設けなくて済み、小型化に資する。
【手続補正９】
【補正対象書類名】明細書
【補正対象項目名】００１０
【補正方法】変更
【補正の内容】
【００１０】
【図１】実施例１に係る漏洩トランスを示す断面図である。
【図２】実施例１に係る漏洩トランスを示す斜視図である。
【図３】実施例１に係る漏洩トランスのコアと一次コイルと二次コイルとを示す分解斜視図である。
【図４】実施例１に係る漏洩トランスの一次コイルを示す斜視図である。
【図５】実施例１に係る漏洩トランスの二次コイルを示す斜視図である。
【図６】実施例１に係る漏洩トランスの特性図である。
【図７】実施例２に係る漏洩トランスの特性図である。
【図８】比較例１に係る漏洩トランスの特性図である。
【図９】比較例２に係るトランスの特性図である。
【図１０】実施例４に係る漏洩トランスを示す分解斜視図である。
【図１１】参考例１に係る漏洩トランスを示す分解斜視図である。
【図１２】実施例５に係る漏洩トランスの一次コイル及び二次コイルを示す斜視図である。
【図１３】実施例６に係る漏洩トランスの一次コイル及び二次コイルを示す斜視図である。
【手続補正１０】
【補正対象書類名】明細書
【補正対象項目名】００２６
【補正方法】削除
【補正の内容】
【手続補正１１】
【補正対象書類名】明細書
【補正対象項目名】００２９
【補正方法】変更
【補正の内容】
【００２９】
−実施例４−
図１０は、実施例４に係る漏洩トランスを示す分解斜視図である。
この漏洩トランスは、例えば線径０．１ｍｍの銅及び銅合金素線２４０本を編組した編組線によるエッジワイズコイルで第１分割コイル１１及び第２分割コイル１２を構成し、それらを接続して一次コイル１０としたものである。一次コイル１０以外の構成は、実施例１と同様である。
【手続補正１２】
【補正対象書類名】明細書
【補正対象項目名】００３０
【補正方法】変更
【補正の内容】
【００３０】
−参考例１−
図１１は、参考例１に係る漏洩トランスを示す分解斜視図である。
この漏洩トランスは、例えば線径０．１ｍｍの銅及び銅合金素線２４０本を編組した編組線によるエッジワイズコイルで二次コイル２０を構成したものである。二次コイル２０以外の構成は、実施例４と同様である。
【手続補正１３】
【補正対象書類名】明細書
【補正対象項目名】００３１
【補正方法】変更
【補正の内容】
【００３１】
−実施例５−
図１２の（ａ）は、実施例５に係る漏洩トランスの一次コイル１０及び二次コイル２０を示す斜視図である。同図（ｂ）は、一次コイル１０のみの斜視図である。
この漏洩トランスは、例えば５５本の線径０．１ｍｍの銅及び銅合金素線を撚った撚線の外周にテープ巻き或いは押出あるいはそれらの組合せにより３層の樹脂絶縁層を設けた断面略円形の三層絶縁電線１本により整列巻コイルで第１分割コイル１１及び第２分割コイル１２を構成し、それらをα巻きのように一体的に巻いて一次コイル１０としたものである。一次コイル１０以外の構成は、実施例１と同様である。
【手続補正１４】
【補正対象書類名】明細書
【補正対象項目名】００３２
【補正方法】変更
【補正の内容】
【００３２】
−実施例６−
図１３の（ａ）は、実施例６に係る漏洩トランスの一次コイル１０及び二次コイル２０を示す斜視図である。同図（ｂ）は、一次コイル１０のみの斜視図である。
この漏洩トランスは、例えば５５本の線径０．１ｍｍの銅及び銅合金素線を撚った撚線の外周にテープ巻き或いは押出あるいはそれらの組合せにより３層の樹脂絶縁層を設けた断面略円形の三層絶縁電線１本により整列巻コイルで第１分割コイル１１及び第２分割コイル１２を構成し、それらを接続して一次コイル１０としたものである。一次コイル１０以外の構成は、実施例１と同様である。